(57)【要約】【課題】携帯端末に電話番号及び／又は電子メールアドレスを持たせることなく、電話番号及び／又は電子メールアドレスの管理を可能とする携帯端末用の電話帳管理方法及びシステムを提供する。【解決手段】本発明の携帯端末用の電話帳管理方法は、ネットワークに収容される交換制御装置の処理手順が、ユーザの名前と、ユーザが使用する電話番号と、電話番号を特定する電話番号特定情報とを対応付けて、個々の電話帳データとして蓄積するステップ（Ａ２）と、携帯端末（携帯電話機４）から送出された電話番号特定情報を含む発信情報を受信するステップ（Ａ５）と、受信した発信情報の電話番号特定情報に基づいて、個々の電話帳データの中から電話番号を検索するステップ（Ａ６）と、検索した電話番号に発信するステップ（Ａ７）とを含む。【選択図】図４
2009200550.tif 000002
【特許請求の範囲】
【請求項１】
携帯端末の電話帳機能を、ネットワークに収容される交換制御装置で管理する携帯端末用の電話帳管理方法であって、
前記交換制御装置の処理手順は、
ユーザの名前と、前記ユーザが使用する電話番号及び／又は電子メールアドレスと、前記電話番号を特定する電話番号特定情報及び／又は前記電子メールアドレスを特定する電子メールアドレス特定情報とを対応付けて、個々の電話帳データとして蓄積するステップと、
前記携帯端末から送出された前記電話番号特定情報又は前記電子メールアドレス特定情報を含む発信情報を受信するステップと、
受信した発信情報の前記電話番号特定情報又は前記電子メールアドレス特定情報に基づいて、前記個々の電話帳データの中から前記電話番号又は前記電子メールアドレスを検索するステップと、
前記検索した電話番号又は電子メールアドレスに発信するステップとを含むことを特徴とする携帯端末用の電話帳管理方法。
【請求項２】
前記携帯端末に着信させるために送られてくる着信時送信元の電話番号又は電子メールアドレスに基づいて、前記個々の電話帳データの中から、前記着信時送信元の電話番号又は電子メールアドレスと一致するものを検索するステップと、
前記一致した電話番号又は電子メールアドレスのユーザ名を前記携帯端末に送出するステップとを更に含むことを特徴とする、請求項１に記載の携帯端末用の電話帳管理方法。
【請求項３】
携帯端末の電話帳機能を、ネットワークに収容される交換制御装置で管理する携帯端末用の電話帳管理方法であって、
前記交換制御装置の処理手順は、
ユーザの名前と、前記ユーザが使用する電話番号及び／又は電子メールアドレスと、前記電話番号を特定する電話番号特定情報及び／又は前記電子メールアドレスを特定する電子メールアドレス特定情報とを対応づけて、個々の電話帳データとして蓄積するステップと、
前記携帯端末から送出された前記電話帳データを修正する修正要求情報を受信するステップと、
前記修正要求情報に基づいて、前記電話帳データの修正を行うステップとを含むことを特徴とする携帯端末用の電話帳管理方法。
【請求項４】
前記電話帳データは、更に、前記ユーザの名前と、前記ユーザの住所を含む個人情報とを対応付けて蓄積していることを特徴とする、請求項３に記載の携帯端末用の電話帳管理方法。
【請求項５】
前記電話帳データの修正は、前記電話帳データの登録、参照、更新及び削除を含むことを特徴とする、請求項３に記載の携帯端末用の電話帳管理方法。
【請求項６】
携帯端末の電話帳機能を、ネットワークに収容される交換制御装置で管理する電話帳管理システムであって、
前記交換制御装置は、
ユーザの名前と、前記ユーザが使用する電話番号及び／又は電子メールアドレスと、前記電話番号を特定する電話番号特定情報及び／又は前記電子メールアドレスを特定する電子メールアドレス特定情報とを対応付けて、個々の電話帳データとして蓄積する電話帳データ蓄積手段と、
前記携帯端末から送信された前記電話番号特定情報又は前記電子メールアドレス特定情報を含む発信情報を受信する発信情報受信手段と、
前記発信情報受信手段によって受信した前記電話番号特定情報又は前記電子メールアドレス特定情報に基づいて、前記個々の電話帳データの中から前記電話番号又は前記電子メールアドレスを検索する番号検索手段と、
前記検索した電話番号又は電子メールアドレスに発信する発信接続手段とを備え、
前記携帯端末は、
前記電話番号特定情報及び／又は前記電子メールアドレス特定情報を蓄積する番号特定情報蓄積手段と、
前記電話番号特定情報又は前記電子メールアドレス特定情報を含む発信情報を送信する発信情報送信手段とを備えることを特徴とする携帯端末用の電話帳管理システム。
【請求項７】
前記交換制御装置は、
前記携帯端末に着信させるために送られてくる着信時送信元の電話番号又は電子メールアドレスに基づいて、前記個々の電話帳データの中から、前記着信時送信元の電話番号又は電子メールアドレスと一致するものを検索する一致電話番号検索手段と、
前記一致した電話番号又は電子メールアドレスの前記ユーザ名を前記携帯端末に送信するユーザ名送信手段とを更に備え、
前記携帯端末は、
前記ユーザ名を受信するユーザ名受信手段を更に備えることを特徴とする、請求項６に記載の携帯端末用の電話帳管理システム。
【請求項８】
携帯端末の電話帳機能を、ネットワークに収容される交換制御装置で管理する携帯端末の電話帳管理システムであって、
前記交換制御装置は、
ユーザの名前と、前記ユーザが使用する電話番号及び／又は電子メールアドレスと、前記電話番号を特定する電話番号特定情報及び／又は前記電子メールアドレスを特定する電子メールアドレス特定情報とを対応づけて、個々の電話帳データとして蓄積する電話帳データ蓄積手段と、
前記携帯端末から送信された前記電話帳データを修正する修正要求情報を受信する修正要求情報受信手段と、
前記修正要求情報の受信に応じて、該当する前記電話帳データを送信し、前記携帯端末から送信される修正情報に基づいて、前記電話帳データの修正を行う電話帳データ修正手段とを備え、
前記携帯端末は、
前記修正要求情報を送信する修正要求情報送信手段と、
前記交換制御装置から送信される前記電話帳データを受信し、前記修正情報を送信する修正情報送信手段とを備えることを特徴とする携帯端末用の電話帳管理システム。
【請求項９】
前記電話帳データは、更に、前記ユーザの名前と、前記ユーザの住所を含む個人情報とを対応付けて蓄積していることを特徴とする、請求項８に記載の携帯端末用の電話帳管理システム。
【請求項１０】
前記電話帳データの修正は、前記電話帳データの登録、参照、更新及び削除を含むことを特徴とする、請求項８に記載の携帯端末用の電話帳管理システム。
【発明の詳細な説明】
【技術分野】
【０００１】
本発明は、携帯端末の電話帳機能をネットワーク側で管理する電話帳管理技術に関する。
【背景技術】
【０００２】
従来の携帯電話機の電話番号を管理する電話番号管理技術としては、管理者がＷｅｂサーバに予め電話帳を登録しておき、ユーザは、電話帳に登録されている電話番号のみに発信できるようにするものがある（例えば、特許文献１参照）。
【０００３】
この従来の技術を簡潔に説明する。ユーザが、電話番号を指定して発信を所望するときに、先ず、上記Ｗｅｂサーバにログインする。ログインされたＷｅｂサーバは、該ユーザの認証を行い、認証が完了すると、該ユーザによって電話番号を検索する条件が選択できる（例えば、名前で検索するか、ふりがなで検索するかなど）Ｗｅｂページを携帯電話機に送る。次に、ユーザが検索条件を選択すると、Ｗｅｂサーバは、選択した検索条件に従って検索項目の内容を入力できる（例えば、「ふりがなで検索する」を選択した場合、ふりがなで検索項目の内容を入力できる）Ｗｅｂページを送る。次に、ユーザが検索項目の内容を入力すると、Ｗｅｂサーバは、入力された検索項目に従って電話帳を検索し、検索した電話番号に発信できるようにしたＷｅｂページを送る。ユーザは送られてきた電話番号をキー等で指定することにより発信することができる。
【０００４】
これにより、管理者が電誘帳に登録した相手のみにしか電話できないことになることから、本技術を使うことにより会社費用の携帯電話機を私用に使うことを防止できるようになる。また、携帯電話機に電話帳を持たないようにすることができる。
【０００５】
しかしながら、個人情報の漏洩を防ぐと言う観点から、自分が管理者となってＷｅｂサーバに電話帳を登録しておき携帯電話機には電話番号を持たないようにすることができるが、発信する毎にＷｅｂサーバにログインし、認証を受け、電話番号を取り込むという操作が加わることになる。
【０００６】
また、他の電話番号管理技術としては、電話帳サーバにユーザの電話番号をはじめとした個人情報を、グループ識別番号を付して登録し、同一のグループ識別番号を有するユーザに対してグループ内の個人情報の検索を可能にするものがある(例えば、特許文献２参照)。
【０００７】
この従来の技術は、同一のグループ識別番号を有しないグループ或いは団体機関に対しては個人情報を非公開又は秘匿とすることが可能になる。
【０００８】
しかしながら、個人情報の漏洩を防ぐと言う観点から、自分一人でグループを構成し、電話帳サーバに電話番号を登録しておくことにより携帯電話機に電話番号を持たないようにすることができるが、発信する毎に電話帳サーバにアクセスし、認証を受け、電話番号
を取り込むという操作が加わることになる。
【０００９】
上記に述べたとおり、これらの従来の携帯電話機の電話番号を管理する電話番号管理技術では、発信する毎にサーバに接続し、認証を受け、電話番号を取り込むという操作が加わる。
【００１０】
【特許文献１】特開２００２‐０１６６９４号公報
【特許文献２】特開２００１‐１３６２６５号公報
【発明の開示】
【発明が解決しようとする課題】
【００１１】
上記に述べた従来の携帯電話機の電話番号管理技術にあっては、発信する毎にサーバに接続し、認証を受け、電話番号を取り込むという操作が加わるという問題がある。更に、従来の携帯電話機用の電話番号管理技術では、携帯電話機に、発信する毎に電話番号又は電子メールアドレスを取り込む等の通常の発信操作にはない操作を具備させる必要があった。
【００１２】
そこで、本発明の目的は、本発明の解決すべき主要な課題は、上記の問題を解決し、携帯電話機などの携帯端末に電話番号及び／又は電子メールアドレスを持たせることなく、電話番号及び／又は電子メールアドレスの管理を可能とする携帯端末用の電話帳管理方法及び電話帳管理システムを提供することにある。
【課題を解決するための手段】
【００１３】
上記の課題を解決するために、本発明による携帯端末用の電話帳管理方法は、携帯端末の電話帳機能を、ネットワークに収容される交換制御装置で管理する携帯端末用の電話帳管理方法であって、前記交換制御装置の処理手順は、ユーザの名前と、前記ユーザが使用する電話番号及び／又は電子メールアドレスと、前記電話番号を特定する電話番号特定情報及び／又は前記電子メールアドレスを特定する電子メールアドレス特定情報とを対応付けて、個々の電話帳データとして蓄積するステップと、前記携帯端末から送出された前記電話番号特定情報又は前記電子メールアドレス特定情報を含む発信情報を受信するステップと、受信した発信情報の前記電話番号特定情報又は前記電子メールアドレス特定情報に基づいて、前記個々の電話帳データの中から前記電話番号又は前記電子メールアドレスを検索するステップと、前記検索した電話番号又は電子メールアドレスに発信するステップとを含むことを特徴とする。
【００１４】
また、本発明による携帯端末用の電話帳管理方法において、前記携帯端末に着信させるために送られてくる着信時送信元の電話番号又は電子メールアドレスに基づいて、前記個々の電話帳データの中から、前記着信時送信元の電話番号又は電子メールアドレスと一致するものを検索するステップと、前記一致した電話番号又は電子メールアドレスのユーザ名を前記携帯端末に送出するステップとを更に含むことを特徴とする。
【００１５】
また、本発明による携帯端末用の電話帳管理方法において、携帯端末の電話帳機能を、ネットワークに収容される交換制御装置で管理する携帯端末用の電話帳管理方法であって、前記交換制御装置の処理手順は、ユーザの名前と、前記ユーザが使用する電話番号及び／又は電子メールアドレスと、前記電話番号を特定する電話番号特定情報及び／又は前記電子メールアドレスを特定する電子メールアドレス特定情報とを対応づけて、個々の電話帳データとして蓄積するステップと、前記携帯端末から送出された前記電話帳データを修正する修正要求情報を受信するステップと、前記修正要求情報に基づいて、前記電話帳データの修正を行うステップとを含むことを特徴とする。
【００１６】
また、本発明による携帯端末用の電話帳管理方法において、前記電話帳データは、更に、前記ユーザの名前と、前記ユーザの住所を含む個人情報とを対応付けて蓄積していることを特徴とする。
【００１７】
また、本発明による携帯端末用の電話帳管理方法において、前記電話帳データの修正は、前記電話帳データの登録、参照、更新及び削除を含むことを特徴とする。
【００１８】
更に、本発明による携帯端末用の電話帳管理システムは、携帯端末の電話帳機能を、ネットワークに収容される交換制御装置で管理する電話帳管理システムであって、前記交換制御装置は、ユーザの名前と、前記ユーザが使用する電話番号及び／又は電子メールアドレスと、前記電話番号を特定する電話番号特定情報及び／又は前記電子メールアドレスを特定する電子メールアドレス特定情報とを対応付けて、個々の電話帳データとして蓄積する電話帳データ蓄積手段と、前記携帯端末から送信された前記電話番号特定情報又は前記電子メールアドレス特定情報を含む発信情報を受信する発信情報受信手段と、前記発信情報受信手段によって受信した前記電話番号特定情報又は前記電子メールアドレス特定情報に基づいて、前記個々の電話帳データの中から、前記電話番号又は前記電子メールアドレスを検索する番号検索手段と、前記検索した電話番号又は電子メールアドレスに発信する発信接続手段とを備え、前記携帯端末は、前記電話番号特定情報及び／又は前記電子メールアドレス特定情報を蓄積する番号特定情報蓄積手段と、前記電話番号特定情報又は前記電子メールアドレス特定情報を含む発信情報を送信する発信情報送信手段とを備えることを特徴とする。
【００１９】
また、本発明による携帯端末用の電話帳管理システムにおいて、前記交換制御装置は、前記携帯端末に着信させるために送られてくる着信時送信元の電話番号に基づいて、前記個々の電話帳データの中から、前記着信時送信元の電話番号又は電子メールアドレスと一致するものを検索する一致電話番号検索手段と、前記一致した電話番号又は電子メールアドレスの前記ユーザ名を前記携帯端末に送信するユーザ名送信手段とを更に備え、前記携帯端末は、前記ユーザ名を受信するユーザ名受信手段を更に備えることを特徴とする。
【００２０】
また、本発明による携帯端末用の電話帳管理システムにおいて、携帯端末の電話帳機能を、ネットワークに収容される交換制御装置で管理する携帯端末の電話帳管理システムであって、前記交換制御装置は、ユーザの名前と、前記ユーザが使用する電話番号及び／又は電子メールアドレスと、前記電話番号を特定する電話番号特定情報及び／又は前記電子メールアドレスを特定する電子メールアドレス特定情報とを対応づけて、個々の電話帳データとして蓄積する電話帳データ蓄積手段と、前記携帯端末から送信された前記電話帳データを修正する修正要求情報を受信する修正要求情報受信手段と、前記修正要求情報の受信に応じて、該当する前記電話帳データを送信し、前記携帯端末から送信される修正情報に基づいて、前記電話帳データの修正を行う電話帳データ修正手段とを備え、前記携帯端末は、前記修正要求情報を送信する修正要求情報送信手段と、前記交換制御装置から送信される前記電話帳データを受信し、前記修正情報を送信する修正情報送信手段とを備えることを特徴とする。
【００２１】
また、本発明による携帯端末用の電話帳管理システムにおいて、前記電話帳データは、更に、前記ユーザの名前と、前記ユーザの住所を含む個人情報とを対応付けて蓄積していることを特徴とする。
【００２２】
また、本発明による携帯端末用の電話帳管理システムにおいて、前記電話帳データの修正は、前記電話帳データの登録、参照、更新及び削除を含むことを特徴とする。
【発明の効果】
【００２３】
本発明によれば、携帯端末に電話番号及び／又は電子メールアドレスを持たせることなく、更に発信する毎に電話番号又は電子メールアドレスを取り込む等の通常の発信操作にない操作を加えることなく、該携帯端末は、発信することが可能になる。
【００２４】
また、本発明によれば、更に下記に述べる効果又は利点がある。
（１）エンドユーザにとっては、携帯電話機などの携帯端末に電話番号や電子メールアドレスが格納されていないため、紛失しても個人情報の漏洩にはならず、また電話帳に登録した電話番号や電子メールアドレスを他人に見られる心配がなくなる。
（２）サービス提供者にとっては、携帯端末を安心して使ってもらうことができることから、ユーザの囲い込みができるようになる。
【発明を実施するための最良の形態】
【００２５】
以下、図面を参照して、本発明による各実施例の携帯端末（代表的に、携帯電話機）用の電話帳管理方法及び電話帳管理システムについて説明する。尚、以下の説明において、「ユーザ」と云うときは、携帯電話機４の所有者から発信先となる相手方か、又は携帯電話機４の所有者へと発信する相手方を意味し、携帯電話機４の「所有者」とは区別して説明するが、「電話帳データ」に所有者の情報を格納することを除外するものではなく、説明の便宜のためである。
【００２６】
まず、本発明による実施例１の携帯電話機用の電話帳管理システムを説明する。
【００２７】
（実施例１）
［システム構成］
図１は、本発明による一実施例の携帯電話機用の電話帳管理システムの構成例を示す接続図である。図１では、携帯電話機用の電話帳管理システム（以下、単にシステムとも称する）は、携帯電話機４（及び／又はＰＣ５）と通信可能な任意のネットワーク１と、ネットワーク１に収容される交換制御装置２と、携帯電話機４と、ＰＣ（パーソナルコンピュータ）５とから構成されることを示している。ＰＣ５は、携帯電話機４に接続されている。携帯電話機４は、交換制御装置２と通信可能に接続されている。
【００２８】
ネットワーク１は、移動体ネットワークであり、移動体ネットワークに接続される固定電話ネットワーク等を含む。
【００２９】
交換制御装置２は、携帯電話機４の電話帳データを含む電話帳機能を有している。このため、携帯電話機４は、電話番号及び／又は電子メールアドレスを記憶する必要性をなくしている。また、携帯電話機４が交換制御装置２の電話帳機能を使って発信を所望する場合にも、携帯電話機４に通常の操作にはない操作を加える必要性をなくしている。
【００３０】
携帯電話機４は、交換制御装置２が有する電話帳機能を使って発信又は着信を行うことができ、また、交換制御装置２が有する電話帳データの修正を行うことができる。更に、好適には、ＰＣ５を携帯電話機４に接続することにより、交換制御装置２が有する電話帳データの修正を容易に行うことができる。これについては、詳細に後述する。
【００３１】
ＰＣ５は、携帯電話機４に接続することにより、電話帳データの修正を容易に行うことを可能にするパーソナルコンピュータである。
【００３２】
尚、図面の都合上、交換制御装置２、携帯電話機４及びＰＣ５は、一つずつ示しているが、それぞれ複数存在していてもよい。
【００３３】
［システム機能］
本システムの機能は、交換制御装置２が携帯電話機４から送信される送信先の電話番号を特定する電話番号特定情報又は電子メールアドレスを特定する電子メールアドレス特定情報（以下、総括して電話番号等特定情報と称する）を受信し、受信した電話番号等特定情報に基づいて、送信先の電話番号又は電子メールアドレス（以下、電話番号等と称する）を検索し、発信接続を行うことができるようにするものである。また、携帯電話機４は、送信元のユーザ名を表示することができる。更に、携帯電話機４（又はＰＣ５）から、交換制御装置２に蓄積している電話帳データの登録、参照、更新及び削除を行うことができる。
【００３４】
次に、上記に述べたシステム機能を実現する本システムの構成装置の構成について説明する。
【００３５】
［交換制御装置及び携帯電話機の構成］
図２は、図１のシステムにおける構成装置のうち、本発明に関係する交換制御装置２及び携帯電話機４の構成例を示す図である。図２は、交換制御装置２及び携帯電話機４の機能のうち、本発明に関係する部分のみを概念的に示している。
【００３６】
交換制御装置２は、電話帳データ蓄積部２１と、発信情報受信部２２と、番号検索部２３と、発信接続部２４と、一致電話番号検索部２５と、ユーザ名送信部２６と、修正要求情報受信部２７と、修正部２８とを有している。
【００３７】
電話帳データ蓄積部２１は、ユーザの名前と、ユーザが使用する電話番号及び／又は電子メールアドレスと、電話番号を特定する電話番号特定情報及び／又は電子メールアドレスを特定する電子メールアドレス特定情報とを対応づけて、個々の電話帳データとして蓄積する電話帳データ蓄積手段を有する。
【００３８】
発信情報受信部２２は、携帯電話機４から送信される送信先の電話番号等を特定するための電話番号等特定情報を含む発信情報を受信する発信情報受信手段を有する。ここで、携帯電話機４によって送信される発信情報として、たとえ漏洩しても問題のない情報を送信するのが好適であり、電話番号等特定情報のみを発信情報とすることもできる。発信情報受信部２２は、受信した発信情報の発信時に付されている発信加入者番号（本実施例では、発信時送信元となる携帯電話機４の電話番号）により、予め登録済の番号と照合して電話帳データの利用を許可された者であるか否かを判断し、許可された者であれば、受信した発信情報内の電話番号等特定情報に基づいて、番号検索部２３を起動する。
【００３９】
番号検索部２３は、発信情報受信部２２において受信した発信情報における電話番号等特定情報に基づいて、電話帳データ蓄積部２１にアクセスし、電話番号等特定情報に対応する送信先の電話番号等を検索する番号検索手段を有する。
【００４０】
発信接続部２４は、番号検索部２３において検索した、電話番号等特定情報に対応する送信先の電話番号等に発信する発信接続手段を有する。
【００４１】
一致電話番号検索部２５は、携帯電話機４に着信させるために送られてくる着信時送信元の電話番号等（電話番号及び／又は電子メールアドレス）に基づいて、電話帳データ蓄積部２１における電話帳データの中から一致するものを検索する一致電話番号検索手段を有する。
【００４２】
ユーザ名送信部２６は、一致電話番号検索部２５において一致した電話番号のユーザ名を携帯電話機４に送信するユーザ名送信手段を有する。
【００４３】
修正要求情報受信部２７は、携帯電話機４から送信される電話帳データ蓄積部２１の電話帳データの修正を要求する修正要求情報を受信する修正要求情報受信手段を有する。この修正要求情報受信部２７は、受信した発信情報の発信時に付されている発信加入者番号（本実施例では、発信時送信元となる携帯電話機４の電話番号）により、予め登録済の番号と照合して電話帳データの利用を許可された者であるか否かを判断し、許可された者であれば、受信した修正要求情報に基づいて、修正部２８を起動する。更に、修正要求情報受信部２７は、この修正要求に応じる前に、パスワードによる認証を付加してセキュリティを高めることができる。
【００４４】
修正部２８は、修正要求情報受信部２７が修正要求情報を受信したことにより電話帳データ蓄積部２１にアクセスし、該当するユーザの電話帳データを検索し、携帯電話機４に送信し、携帯電話機４から送信される修正情報に基づいて、電話帳データの修正を行う電話帳データ修正手段を有する。また、修正部２８が行う電話帳データの修正には、電話帳データの登録、参照、更新及び削除を含む。
【００４５】
また、電話帳データ蓄積部２１が扱う電話帳データは、ユーザの名前と、ユーザの住所を含む個人情報とを対応付けた電話帳データも含む。これにより、修正部２８が行う電話帳データの修正と組み合わせて、住所の登録、参照、更新及び削除を行うこともできる。
【００４６】
携帯電話機４は、番号特定情報蓄積部４１と、発信情報送信部４２と、ユーザ名受信部４３と、修正要求情報送信部４４と、修正情報送信部４５とを備える。
【００４７】
番号特定情報蓄積部４１は、電話番号特定情報及び／又は電子メールアドレス特定情報を蓄積する番号特定情報蓄積手段を有する。
【００４８】
発信情報送信部４２は、番号特定情報蓄積部４１が蓄積する電話番号等特定情報を含む発信情報を送信する発信情報送信手段を有する。
【００４９】
ユーザ名受信部４３は、交換制御装置２から送信されるユーザ名を受信するユーザ名受信手段を有する。
【００５０】
修正要求情報送信部４４は、電話帳データ蓄積部２１の電話帳データの修正を要求する修正要求情報を送信する修正要求情報送信手段を有する。また、修正要求情報送信部４４は、修正要求情報を送信する際に、パスワードを付加するようにし、これによりセキュリティを高めることができる。例えば、携帯電話機４を紛失した場合に、拾得した第三者が修正要求情報を送信したとしても、当該電話帳データを見ることができないようにすることができる。
【００５１】
修正情報送信部４５は、交換制御装置２から送信される電話帳データを受信し、表示された電話帳データに基づいて、携帯電話機４の所有者によって修正された修正情報を発信情報送信部４２を経て交換制御装置２に送信する修正情報送信手段を有する。また、修正情報送信部４５は、ＰＣ５と通信可能に接続する機能を有する。
【００５２】
また、修正情報送信部４５が行う電話帳データの修正には、電話帳データの登録、参照、更新及び削除を含む。
【００５３】
また、修正情報送信部４５が扱う電話帳データは、ユーザの名前と、ユーザの住所を含む個人情報とを対応付けた電話帳データも含む。これにより、電話帳データの修正と組み合わせて、住所の登録、参照、更新及び削除を行うことができ、電話帳データを住所録として活用することが可能になる。
【００５４】
次に、図１のシステムにおける電話帳データの構成について説明する。
【００５５】
［電話番号特定情報及び電話帳データの構成］
図３は、図２の構成における携帯電話機４（電話番号：０９０−１２３４‐５６７８，
所有者：中村）が、相手（佐藤）の電話番号を特定する電話番号特定情報を送信し、電話をかける場合について示したものである。図３（１）には、中村の携帯電話機４の番号特定情報蓄積部４１に記憶されている電話番号特定情報の構成例を示しており、図３（２）には、交換制御装置２の電話帳データ蓄積部２１に蓄積されている中村の電話帳データの構成例を示している。
【００５６】
図３（１）及び図３（２）に示すように、携帯電話機４における電話番号特定情報及び交換制御装置２における電話帳データの各々は、個々の電話番号に対して互いに共通のメモリ番号を持つようにしているので、携帯電話機４においてメモリ番号を電話番号特定情報として指定することにより、交換制御装置２において該電話番号特定情報に基づいて該当するメモリ番号から電話番号を特定することが可能になる。これは、電子メールアドレスの場合においても同様である。
【００５７】
例えば、携帯電話機４の所有者（例えば、中村）が、従来の携帯電話機の中に電話帳を保有しているときの操作と同様に、例えば「佐藤」「自宅」を選択して発信操作を行うと、これにより本実施例の携帯電話機４は、メモリ番号「１」「Ａ」を付した発信情報を交換制御装置２に送信する。交換制御装置２は、受信した発信情報の発信時に付されている中村の発信加入者番号（発信時送信元の電話番号：０９０−１２３４−５６７８）により、予め登録済の番号と照合して電話帳データの利用を許可された者であるか否かを判断する。さらに、交換制御装置２は、許可された者であると判断する場合には、電話帳データ蓄積部２１にアクセスし、該発信時送信元の電話番号から中村の電話帳データを検索し、更に該発信情報のメモリ番号「１」「Ａ」から送信先の「佐藤」「自宅」の電話番号（０３−３４５６−７８９０）を検索し、検索した電話番号に発信接続を行う。
【００５８】
次に、実施例１の携帯電話機用の電話帳管理システムの動作について説明する。併せて実施例１の携帯電話機用の電話帳管理方法について説明する。尚、以下の説明では、代表的に電話番号を対象として説明するが、電子メールアドレスに置き換えて適用することもできる。
【００５９】
［システム動作］
図４は、図１におけるシステムの動作例を示すシーケンスチャートである。図４は、携帯電話機４と交換制御装置２との間の通信のシーケンスを示している。
【００６０】
まず、携帯電話機４の所有者の操作により、予め電話番号等特定情報を携帯電話機４に、及び電話帳データを交換制御装置２に蓄積しておく（ステップＡ１，Ａ２）。例えば、図３に例示しているように、携帯電話機４側では個人情報などの蓄積をしないことが好適であり、交換制御装置２側にて個人情報などの電話帳データを蓄積するようにする。
【００６１】
次に、携帯電話機４の所有者の操作により、携帯電話機４を用いて発信操作が行われると（ステップＡ３）、携帯電話機４は、発信情報送信部４２により発信情報を送信し（ステップＡ４）、交換制御装置２は、発信情報受信部２２により発信情報を受信する（ステップＡ５）。
【００６２】
交換制御装置２は、番号検索部２３により電話番号等を検索し（ステップＡ６）、発信接続部２４により検索した電話番号等に対してネットワーク１における既存のスイッチ機能部（図示せず）を介して送信先へと発信接続を行う（ステップＡ７）。
【００６３】
一方、交換制御装置２は、ネットワーク１における既存のスイッチ機能部を介して当該携帯電話機４のユーザを宛先とする或る発信者（送信元）からの着信があると（ステップＡ８）、交換制御装置２は、一致電話番号検索部２５により該発信者（送信元）の電話番号から電話帳データの中に一致する電話番号があるか検索し、一致する電話番号があれば、ユーザ名を取り出し（ステップＡ９）、ユーザ名送信部２６により携帯電話機４を呼び出すとともに、該発信者（送信元）のユーザ名を送信する（ステップＡ１０）。
【００６４】
携帯電話機機４は、ユーザ名受信部４３により該ユーザ名を受信し（ステップＡ１１）、携帯電話機機４が有するディスプレイ（図示せず）に表示する（ステップＡ１２）。
【００６５】
尚、ステップＡ９において、一致する電話番号がない場合には、即ち電話帳データに送信元の電話番号が登録されていない場合は、一致電話番号検索部２５により、その旨をユーザ名送信部２６に送出して、ユーザ名送信部２６は、ユーザ名を送信することなく該発信者（送信元）の電話番号を用いて携帯電話機４を呼び出すようにする。この場合、携帯電話機機４のディスプレイには、ユーザ名が表示されず、従来の携帯電話機と同様に発信者(送信元)の電話番号が表示される。
【００６６】
一方、携帯電話機４の所有者の操作により、携帯電話機４（及び／又はＰＣ５）を用いて修正要求の操作が行われると（ステップＡ１３）、携帯電話機４は、修正要求情報送信部４４により修正要求情報を送信し（ステップＡ１４）、交換制御装置２は、修正要求情報受信部２７により修正要求情報を受信する（ステップＡ１５）。
【００６７】
交換制御装置２は、修正要求情報受信部２７により電話帳データ蓄積部２１から該当する電話帳データを取り出して携帯電話機４に送信し（ステップＡ１６）、携帯電話機４は、該電話帳データを受信する（ステップＡ１７）。
【００６８】
携帯電話機４は、受信した電話帳データを当該ディスプレイに表示し（ステップＡ１８）、携帯電話機４の所有者の操作により表示された電話帳データの内容について修正が行われると（ステップＡ１９）、携帯電話機４は、修正要求情報送信部４４により電話帳データについて修正すべき修正情報（修正した電話帳データとすることもできる）を交換制御装置２に送信し（ステップＡ２０）、交換制御装置２は、修正要求情報受信部２７により該修正情報を受信する（ステップＡ２１）。
【００６９】
交換制御装置２は、修正要求情報受信部２７を介して取得した修正情報に基づいて、修正部２８により、電話帳データ蓄積部２１内の該当する電話帳データの修正を行い、電話帳データ蓄積部２１に再度格納する（ステップＡ２２）。
【００７０】
また、ステップＡ１９（又は、ステップＡ１９〜ステップＡ２０）における修正は、登録、参照、更新及び削除を含む。
【００７１】
特に、この「参照」に関連して、ステップＡ１９〜ステップＡ２０は、ユーザの名前と、ユーザの住所を含む個人情報とを対応付けた電話帳データにすることを含む。これにより、携帯電話機４の所有者は、ステップＡ１３〜ステップＡ１８までの修正要求から電話帳データを表示するまでの操作手順を利用して（好適には、繰り返して）、電話帳データ蓄積部２１に格納されている電話帳データを各ユーザの住所録としても活用することができるようになる。これについては、実施例２にて、より詳細に説明する。
【００７２】
このように、携帯電話機の電話帳には、発信先の個人を特定する情報のみを蓄積するようにし、当該携帯電話機から発信を所望する場合には、実際の電話番号やメールアドレスをネットワークの交換制御装置側で展開するようにする。
【００７３】
これにより、本実施例によれば、携帯電話機に電話番号や電子メールアドレスを持つことなく、更に発信する毎に電話番号や電子メールアドレスを取り込む等の通常の発信操作にない操作を加えることなく発信することが可能になる。
【００７４】
次に、本発明による実施例２の携帯電話機用の電話帳管理方法及びシステムを説明する。
【００７５】
（実施例２）
実施例２の携帯電話機用の電話帳管理システムは、実施例１と同様の構成要素（図１〜図３）を有しており、その説明は省略する。本実施例では、特に電話帳データを各ユーザの住所録としても活用して、選択した所望の電話帳データにあるユーザに発信指示を行う態様について説明する。尚、以下の説明では、代表的に電話番号を対象として説明するが、電子メールアドレスに置き換えて適用することもできる。
【００７６】
図５は、電話帳データを住所録としても活用する、図１におけるシステムの別の動作例を示すシーケンスチャートである。
【００７７】
携帯電話機４の所有者の操作により、携帯電話機４（及び／又はＰＣ５）を用いて電話帳データの参照要求の操作が行われると、携帯電話機４は、修正要求情報送信部４４の機能により参照要求情報を送信し（ステップＢ１）、交換制御装置２は、修正要求情報受信部２７の機能により参照要求情報を受信する（ステップＢ２）。
【００７８】
ここで、修正要求情報受信部２７は、この参照要求に応じる前に、パスワードによる認証を付加してセキュリティを高める。具体的には、携帯電話機４に対してパスワード入力を要求する電文を送信し、これに応じて入力されたパスワードを認証して一致した場合にのみ、次のステップに進むようにし、所定回数のパスワード入力の認証に失敗した場合には、当該参照要求を拒否する電文を送信する。
【００７９】
交換制御装置２は、修正要求情報受信部２７の機能により電話帳データ蓄積部２１から該当する電話帳データを取り出して携帯電話機４に送信し（ステップＢ３）、携帯電話機４は、該電話帳データを受信して、携帯電話機機４が有するディスプレイ（図示せず）に表示する（ステップＢ４）。これにより、電話帳データを各ユーザの住所録としても活用して、所望の電話帳データにあるユーザを選定することができる。
【００８０】
次に、携帯電話機４の所有者は、所望の電話帳データにあるユーザを選定した後で発信を所望する場合には、携帯電話機４の所有者の操作により、携帯電話機４を用いて発信指示を行い、携帯電話機４は、発信情報送信部４２により発信情報を送信し（ステップＢ５）、交換制御装置２は、発信情報受信部２２により発信情報を受信する（ステップＢ６）。
【００８１】
交換制御装置２は、番号検索部２３により該発信情報に対応する送信先の電話番号等を検索し（ステップＢ７）、発信接続部２４により検索した電話番号等に対してネットワーク１における既存のスイッチ機能部（図示せず）を介して送信先へと発信接続を行う（ステップＢ８）。
【００８２】
ステップＢ１〜Ｂ４により、携帯電話機４の所有者は、電話帳データを携帯電話機４のディスプレイに順次表示させて、住所録のように活用することができる。また、所望の電話帳データにあるユーザを選定する際に、この住所録のように活用した電話帳データを参照して、接続先としての情報を確認することができる。住所録として機能する電話帳データを交換制御装置側で行うことは、万一、携帯電話機４を紛失した場合にも、住所録や電話番号などの個人情報が交換制御装置側で管理されているため、第三者に漏洩することがなくなるという極めて有利な効果を生じさせる。
【００８３】
前述した実施例では、特定の形態について説明したが、本発明は、前述した実施例に限定されるものではなく、その主旨を逸脱しない範囲において種々変更可能である。例えば、電話帳データ蓄積部２１を交換制御装置２の中に取り込んだ構成としているが、別装置として構成し、複数の交換制御装置２が電話帳データ蓄積部２１を共有するようにしてもよい。また、携帯電話機以外に、あらゆる携帯端末に適用することができる。従って、本発明は、上述の実施例にて制限されるものではなく、特許請求の範囲によってのみ制限される。
【産業上の利用可能性】
【００８４】
上記に説明したとおり、本発明が産業上の利用が可能であることは明らかである。即ちエンドユーザにとっては、携帯端末に電話番号や電子メールアドレスが格納されていないため、紛失しても個人情報の漏洩にはならず、また電話帳に登録した電話番号や電子メールアドレスを他人に見られる心配がなくなる。また、携帯端末用の電話帳管理システムのサービス提供者にとっては、携帯端末を安心して使ってもらうことができることからユーザの囲い込みができるようになり、サービスの利用拡大、導入拡大が進み、システム及び関連する装置の需要が一層高まることが期待できる。従って、携帯電話機以外にも、あらゆる携帯端末に有用である。
【図面の簡単な説明】
【００８５】
【図１】本発明による一実施例の携帯電話機用の電話帳管理システムの構成例を示す接続図である。
【図２】本発明による一実施例の携帯電話機用の電話帳管理システムにおける携帯電話機及び公開制御装置のそれぞれの構成例を示す図である。
【図３】本発明による一実施例の携帯電話機用の電話帳管理システムに用いられる電話帳データの構成例を説明するための図である。
【図４】本発明による一実施例の携帯電話機用の電話帳管理システムの動作例を示すシーケンスチャートである。
【図５】本発明による一実施例の携帯電話機用の電話帳管理システムの別の動作例を示すシーケンスチャートである。
【符号の説明】
【００８６】
１  ネットワーク
２  交換制御装置
４  携帯電話機
５  ＰＣ
２１  電話帳データ蓄積部
２２  発信情報受信部
２３  番号検索部
２４  発信接続部
２５  一致電話番号検索部
２６  ユーザ名送信部
２７  修正要求情報受信部
２８  修正部
４１  番号特定情報蓄積部
４２  発信情報送信部
４３  ユーザ名受信部
４４  修正要求情報送信部
４５  修正情報送信部
【図１】
2009200550.tif 000003
【図２】
2009200550.tif 000004
【図３】
2009200550.tif 000005
【図４】
2009200550.tif 000006
【図５】
2009200550.tif 000007